(57)【要約】  請求する主題の実施形態は、妨害されたユーザ機器にマルチキャスト／ブロードキャスト情報を提供するための方法および装置を提供する。装置の一部の実施形態は、アンテナに通信するように結合するために構成されたゲートウェイを含む。ゲートウェイは、ユーザ機器に関連する少なくとも１つのブロードキャストまたはマルチキャストのサービスを受信するために第１のブロードキャスト／マルチキャスト・セッションを確立し、第１のブロードキャスト／マルチキャスト・セッションで受信された情報をユーザ機器に提供するために第２のセッションを確立するように構成可能である。一部の実施形態は、第１のブロードキャスト／マルチキャスト・セッションを介して、ブロードキャストまたはマルチキャストのサービスを受信するゲートウェイからブロードキャスト・サービスまたはマルチキャスト・サービスを受信するための要求を提供するように構成可能なユーザ機器を含む。ユーザ機器の一部の実施形態は、また、ブロードキャストまたはマルチキャストのサービスを受信するためのゲートウェイと第２のセッションを確立するように構成可能である。
2015527793.tif 000002
【特許請求の範囲】
【請求項１】
ゲートウェイで、ユーザ機器に関連する少なくとも１つのブロードキャストまたはマルチキャストのサービスを受信するために第１のブロードキャスト／マルチキャスト・セッションを確立するステップと、
ゲートウェイで、ユーザ機器に第１のブロードキャスト／マルチキャスト・セッションで受信された情報を提供するための第２のセッションを確立するステップと
を含む方法。
【請求項２】
前記少なくとも１つブロードキャストまたはマルチキャストのサービスを受信するために、前記ユーザ機器から要求を受信するステップを含み、
前記第１のブロードキャスト／マルチキャスト・セッションを確立するステップ及び前記第２のセッションを確立するステップは、前記要求の受信に応じて実行される、請求項１に記載の方法。
【請求項３】
前記第１のブロードキャスト／マルチキャスト・セッションを確立するステップ及び前記第２のセッションを確立するステップは、前記ユーザ機器が外部の場所から内部の場所に移動したことを決定し、前記外部の場所で前記少なくとも１つブロードキャストまたはマルチキャストのサービスを受信するために、前記ユーザ機器が、以前に第３のブロードキャスト／マルチキャスト・セッションを確立したという指示を受信することに応じて実行される、請求項１に記載の方法。
【請求項４】
前記ゲートウェイで、前記ユーザ機器と前記ゲートウェイとの間の距離を決定するステップを含み、
前記第１のブロードキャスト／マルチキャスト・セッションを確立するステップ及び前記第２のセッションを確立するステップは、前記距離がしきい値の距離未満であることを決定することに応じて実行される、請求項１に記載の方法。
【請求項５】
前記ゲートウェイは、前記建物または車両の内表面に結合するために構成され、
前記第１のセッションを確立するステップ及び前記第２のセッションを確立するステップは、前記ユーザ機器が前記建物または車両内にあることを決定することに応じて、前記第１および第３のセッションをそれぞれ確立するステップを含む、請求項１に記載の方法。
【請求項６】
前記ユーザ機器で実装される第２のセッション・マネージャからの要求に応じて前記ゲートウェイに対して第１のセッション・マネージャによって提供されるシグナリングに応答して、前記第１のブロードキャスト／マルチキャスト・セッションを確立するステップを含む請求項１に記載の方法。
【請求項７】
前記第１のセッション・マネージャが、前記ユーザ機器が前記ゲートウェイに接続されたことを決定し、前記第２のブロードキャスト／マルチキャスト・セッションを使用して前記ユーザ機器に提供される少なくとも１つのマルチキャスト／ブロードキャスト・サービスを識別することに応じて、前記第１のブロードキャスト／マルチキャスト・セッションを確立するためにシグナリングを提供するステップを含む請求項６に記載の方法。
【請求項８】
前記第１のブロードキャスト／マルチキャスト・セッションを確立するステップは、ブロードキャスト・マルチキャスト・サービス・センター（ＢＭ−ＳＣ）へのゲートウェイを認証するステップを含み、前記第２のセッションを確立するステップは、前記ゲートウェイに対してユーザ機器を認証する請求項１に記載の方法。
【請求項９】
前記ユーザ機器から前記新しいマルチキャスト・サービスに対する要求を受信すること、および前記第３のセッションを使用して、前記ユーザ機器に前記新しいマルチキャスト・サービスを提供することに応じて、前記第１のブロードキャスト／マルチキャスト・セッションを使用して提供される新しいマルチキャスト・サービスに対する要求を提供するステップを含む請求項１に記載の方法。
【請求項１０】
前記ユーザ機器からの要求に応じて、前記第１のブロードキャスト／マルチキャスト・セッションおよび前記第２のセッションを廃棄するステップを含む請求項１に記載の方法。
【発明の詳細な説明】
【技術分野】
【０００１】
関連出願の相互参照
本出願は、２０１２年６月２９日に出願した米国仮特許出願第６１／６６６，１２２号の優先権を主張するものである。
【０００２】
本出願は、一般的に通信システムに関し、より具体的には、ワイヤレス通信システムに関する。
【背景技術】
【０００３】
ワイヤレス通信システムは、ワイヤレス通信に有効である移動ユニットおよび／または他のデバイスなど、様々なアクセス端末にワイヤレス接続を提供するために、基地局など、アクセス・ポイントのネットワークを使用する。ワイヤレス通信システムの有効範囲領域は、典型的には、従来はセルまたはセクタと呼ばれる多数の地理的な領域に分割される。ワイヤレス・ネットワークの各セルの有効範囲領域は、セルに有効範囲を提供するアクセス・ポイントによって送信される無線信号の伝搬損失によって限定される。したがって、各セルの有効範囲領域は、アクセス・ポイントの場所および送信電力だけでなく、セルの地理および干渉物の場所を含む他の要素によっても決定される。たとえば、建物または山がアクセス・ポイントの近くに存在する場合、セルの有効範囲領域が縮小される場合がある。セルの境界は厳密に規定されておらず、時間と共に変動する場合がある。したがって、複数のアクセス・ポイントが重複する領域に有効範囲を提供するが、アクセス・ポイントが異なると、重複する領域内で提供される信号の強度が異なり得るように、有効範囲領域が重複する場合がある。
【０００４】
ロング・ターム・エボリューション（ＬＴＥ：Ｌｏｎｇ  Ｔｅｒｍ  Ｅｖｏｌｕｔｉｏｎ、ＬＴＥ−Ａｄｖａｎｃｅｄ）などのワイヤレス通信標準では、マルチメディア・ブロードキャスト・マルチキャスト・サービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）または拡張型マルチメディア・ブロードキャスト・マルチキャスト・サービス（ｅＭＢＭＳ：ｅｎｈａｎｃｅｄ  Ｍｕｌｔｉｍｅｄｉａ  Ｂｒｏａｄｃａｓｔ  Ｍｕｌｔｉｃａｓｔ  Ｓｅｒｖｉｃｅ）など、ブロードキャストまたはマルチキャストのサービスをサポートしている。ＭＢＭＳサービスは、１つまたは複数のユーザによって受信できるチャネルでエア・インターフェースを通じて基地局からデータをブロードキャストまたはマルチキャストする。ｅＭＢＭＳは、ｅＭＢＭＳサービスがユーザ機器にマルチメディア情報を運ぶことを可能にするアーキテクチャおよび物理レイヤの拡張など、追加の機能を提供する拡張されたバージョンである。典型的には、ユーザは、次に、ＭＢＭＳサービスを使用して受信することができる特定のプログラムを利用契約する。ユーザがプログラムを利用契約し、プログラムを受信し始めると、ユーザは、建物、自動車、バスなどに移動したり、またはそこから出たりする場合があったとしても、ユーザは、中断なくプログラムを受信することを期待する。しかし、ユーザと基地局との間のいかなる障害も、ＭＢＭＳ信号の信号強度を下げるチャネル損失を引き起こす場合がある。たとえば、建物の透過損失は、典型的には約１１〜２０ｄＢであり、自動車の透過損失は、典型的には約７ｄＢである。
【発明の概要】
【課題を解決するための手段】
【０００５】
以下は、開示された内容の一部の態様について基本的な理解を得るために、開示された内容を単純化して概要を示すものである。この概要は、開示された内容の完全な概要ではない。これは、開示された内容の重要または不可欠な要素を特定したり、または開示された内容の範囲を描写したりすることを意図するものではない。その唯一の目的は、後で記述するより詳細な記述の準備として、単純化した形で一部の概念を示すことである。
【０００６】
本明細書に記述したように、建物の透過損失は、典型的には約１１〜２０ｄＢあり、自動車の透過損失は、典型的には約７ｄＢである。チャネル損失により、ワイヤレス通信システムの基地局の有効範囲領域は縮小される。所与の送信電力について、有効範囲領域のおよその半径（Ｒ）は、以下の等式によって損失率（ｄＢ単位）に関係付けることができる。
Ｒ＝ｃｏｎｓｔ×１０−ｄｂ単位の損失
この等式の定数は、経験的に、理論的に、実験的に、または他の技術を使用して決定することができる。一定の有効範囲を提供する個々の基地局によって包含される領域（ＡＢＳ）は、Ｒ２にほぼ比例するため、領域（Ａｃｏｖ）に有効範囲を提供するのに必要な基地局の数は、以下からほぼ得られる。
【０００７】
【数１】
2015527793.tif 000003
領域（Ａｃｏｖ）を包含するために必要な基地局の数は、したがって、予想されるチャネル損失（デシベル単位）が増えると指数関数的に増加する。したがって、建物の透過または自動車の透過によって生じる大きなチャネル損失は、ＭＢＭＳサービスにユビキタスな有効範囲を提供するために必要なリンク・バジェット（たとえば基地局の数または個々の基地局の送信電力）を大幅に増加させる。開示された内容は、上記の１つまたは複数の問題による影響に対処することを意図するものである。
【０００８】
一実施形態では、妨害されたユーザ機器にブロードキャストまたはマルチキャストのサービスを提供するための装置が提供される。装置の一部の実施形態は、アンテナに通信するように結合するために構成されたゲートウェイを含む。ゲートウェイは、ユーザ機器に関連する少なくとも１つのブロードキャストまたはマルチキャストのサービスを受信するために第１のブロードキャスト／マルチキャスト・セッションを確立し、ユーザ機器に第１のブロードキャスト／マルチキャスト・セッションで受信された情報を提供するための第２のセッションを確立するように構成される。ゲートウェイの一部の実施形態で実装することができる方法も提供される。
【０００９】
他の実施形態では、ブロードキャストまたはマルチキャストのサービスを受信するためのユーザ機器が提供される。ユーザ機器の一部の実施形態は、第１のブロードキャスト／マルチキャスト・セッションを介して、ブロードキャストまたはマルチキャストのサービスを受信するゲートウェイからブロードキャスト・サービスまたはマルチキャスト・サービスを受信するための要求を提供するように構成される。ユーザ機器の一部の実施形態は、また、ブロードキャストまたはマルチキャストのサービスを受信するためにゲートウェイとの第２のセッションを確立するように構成される。ユーザ機器の一部の実施形態で実装することができる方法も提供される。
【００１０】
開示された内容は、同じ参照番号は、同じ要素を示している添付の図面と共に以下の記述を参照することによって理解されるだろう。
【図面の簡単な説明】
【００１１】
【図１】ワイヤレス通信システムの第１の代表的な実施形態を概念的に示す図である。
【図２】ワイヤレス通信システムの第２の代表的な実施形態を概念的に示す図である。
【図３】図２に示すワイヤレス通信システムの第２の代表的な実施形態で実装することができるプロトコル・スタックの代表的な一実施形態を概念的に示す図である。
【図４】ワイヤレス通信システムの第３の代表的な実施形態を概念的に示す図である。
【図５】図４に示すワイヤレス通信システムの第３の代表的な実施形態で実装することができるプロトコル・スタックの代表的な一実施形態を概念的に示す図である。
【図６】妨害されたユーザ機器にブロードキャスト／マルチキャスト・サービスを提供するための方法の代表的な一実施形態を概念的に示す図である。
【図７】妨害されたユーザ機器にブロードキャスト／マルチキャスト・サービスを提供するための方法の代表的な一実施形態を概念的に示す図である。
【発明を実施するための形態】
【００１２】
開示された内容は、様々な変更および代替形式の余地があるが、その特定の実施形態について、図面の例を用いて示し、本明細書に詳細に記述している。しかし、本明細書に記述した特定の実施形態の記述は、開示された特定の形式に開示された内容を限定することを意図するものではなく、それとは反対に、添付された特許請求の範囲に該当するすべての変更、等価物、および代替案を包含することを意図することを理解されるだろう。
【００１３】
例示的実施形態について以下に記述する。明瞭さのために、実際の実装のすべての機能を、本明細書に記述しているとは限らない。もちろん、そのような実際の実施形態を開発する際に、実装によって異なる、システム関連およびビジネス関連の制約への遵守など、開発者の特定の目標を達成するために多数の実装固有の決定が下されるべきであることを理解されるだろう。さらに、そのような開発努力は、複雑かつ時間がかかる可能性があるが、本開示の利益を受ける当業者にとっては日常的な仕事であろうことを理解されるだろう。記述および図は、単に請求される主題の原理を示すものである。したがって、本明細書に明示的に記述または図示していないが、本明細書に記述した原理を具体化し、請求された主題の範囲内に含まれることができる様々な配置を当業者であれば考案できることを理解されたい。さらに、本明細書に詳述したすべての例は、原則として、読者が請求された主題の原則およびその技術を推進する発明者（ら）によって提供された概念を理解するのを支援するために、教育のみを目的とすることを明確に意図するものであり、そのような具体的に詳述された例および条件に限定しないものとして解釈するべきである。
【００１４】
開示された内容について、添付の図面に関して記述する。様々な構造、システム、およびデバイスは、説明のみを目的として、かつ当業者に周知の詳細によって記述を不明瞭にしないように、図面に概略的に描写している。しかし、付属の図は、開示された内容の実例となる例を記述し説明するために含まれている。本明細書に使用される言葉および句は、当業者によるそれらの言葉および句の理解に一致する意味を持つものと理解および解釈するべきである。本明細書において用語または句を一貫して使用することによって、用語または句の特別な定義、つまり、当業者によって理解されている通常および慣習的な意味とは異なる定義を意味することを意図するものではない。用語または句が特別な意味、つまり当業者によって理解されるものと異なる意味を持つことを意図する場合は、そのような特別な定義は、用語または句の特別な定義を直接的かつ明白に提供する定義方法で明細書に明確に記述する。さらに、本明細書に使用する「または（ｏｒ）」という用語は、そうでないことが明記されていない限り（たとえば、「さもなければ（ｏｒ  ｅｌｓｅ）」または「別の方法では（ｏｒ  ｉｎ  ｔｈｅ  ａｌｔｅｒｎａｔｉｖｅ）」など）、非排他的な「または（ｏｒ）」を示している。また、本明細書に記述した様々な実施形態は、必ずしも相互排他的ではなく、一部の実施形態は、新しい実施形態を形成するために、１つまたは複数の他の実施形態と組み合わせることができる。
【００１５】
本明細書に記述するように、建物の壁および自動車の窓など、信号経路における障害によって引き起こされるチャネル損失は、ワイヤレス通信システムのリンク・バジェットを大幅に増加させる場合がある。従来の方式で少なくとも部分的にこれらの欠点に取り組むために、本出願は、ユーザ機器に関連するマルチキャストまたはブロードキャストのセッションを終了し、セッションを使用して、ユーザ機器にマルチキャストまたはブロードキャストされる情報を伝達するように展開または構成できるゲートウェイの実施形態について記述する。たとえば、ゲートウェイは、建物、車両、または他の構造物の内部に展開し、建物、車両、または他の構造物の外形面に展開されたアンテナに通信できるように結合することができる。ゲートウェイは、外部アンテナを介してマルチキャストまたはブロードキャストの送信を受信し、Ｗｉ−Ｆｉセッション、有線イーサネット、または他の独自開発もしくは独自開発でない無線もしくは有線のリンクなど、異なるセッションを使用して、建物または車両の内部のユーザ機器にそれらを伝達することができる。
【００１６】
ゲートウェイおよびユーザ機器の一部の実施形態は、ユーザが、建物、車両、または他の構造物の内部にいるときに、ユーザ・セッションの確立を促進するために相互に通信するように構成できるセッション・マネージャを含む。たとえば、ユーザがブロードキャストまたはマルチキャストの送信を受信しており、建物の外部の場所から建物の内部に移動する場合、ユーザ機器は、たとえば、ユーザ機器とゲートウェイとの間の有線またはＷｉＦｉのセッションを使用して、マルチキャスト送信を受信するためにゲートウェイとの新しい「内部」セッションを開始することができる。ゲートウェイは、また、たとえば、１つまたは複数のｅＮｏｄｅＢとのｅＭＢＭＳセッションなど、ユーザ機器に代わってブロードキャストまたはマルチキャストの送信を受信するために新しい「外部」セッションを開始することができる。たとえば、ユーザ機器が、建物に隣接して展開されたゲートウェイに近づく場合、ユーザ機器およびゲートウェイのセッション・マネージャは、現在のＭＢＭＳセッションを使用して、ユーザ機器によって受信されている（または受信されるようにスケジューリングされている）プログラムを受信できるマルチキャストまたはブロードキャストのセッションに対する終了ポイントとしてゲートウェイが登録することを可能にする情報を交換することができる。あるいは、ゲートウェイは、ブロードキャスト／マルチキャストの送信を受信するために以前から存在する外部セッションを持つことができる。セッション・マネージャの一部の実施形態は、内部セッションおよび外部セッションを単一のマルチメディア・アプリケーション・セッションへとネゴシエーション、認証、時間同期、および「結びつける」ために使用することができる。有線または無線のセッションがＩＰマルチキャストかユニキャストかに依存して、これらのセッション・マネージャは、また、ｅＭＢＭＳによって使用される外部形式から、有線または無線のセッションによって使用される内部形式へとＩＰパケットを再パッケージすることを担当することができる。
【００１７】
ユーザ機器およびゲートウェイの一部の実施形態は、ユーザ機器が建物または車両を去るときに、ユーザ機器がＭＢＭＳセッションを確立することを可能にするために（および、ゲートウェイにその対応するＭＢＭＳセッションを破棄させるために）、同様に通信することができる。建物、車両、または他の構造物内でマルチキャストまたはブロードキャストのサービスを提供するためにゲートウェイを展開するワイヤレス通信システムは、建物の透過または自動車の透過によって作られる大規模なチャネル損失を回避することができ、したがって、ＭＢＭＳサービスにユビキタスな有効範囲を提供するために必要なリンク・バジェット（たとえば基地局の数または個々の基地局の送信電力）を大幅に減らすことができる。
【００１８】
図１は、ワイヤレス通信システム１００の第１の代表的な実施形態を概念的に示している。図示する実施形態では、ｅＮｏｄｅＢ（ｅＮＢ）１０５は、１つまたは複数のユーザ機器１１０を含むことができる、対応する地理的な領域またはセルにブロードキャストまたはマルチキャストのサービスを提供するために使用される。建物１２０は、ｅＮＢ１０５によってサービスを提供される地理的な領域またはセル内に位置する場合がある。本明細書に記述するように、建物１２０のドア、窓、または壁などの障害は、ユーザ機器１１０とｅＮＢ１０５との間のチャネル損失を大幅に増加させる場合がある。代表的な建物の透過損失は、典型的には約１１〜２０ｄＢであり、自動車の透過率損失は、典型的には約７ｄＢである。所与の送信電力について、透過損失は、ブロードキャストまたはマルチキャストのサービスの品質を低下させるか、またはサービスが消失する場合がある。したがって、特定のサービスの品質を提供しながら、透過損失を克服するために、より大きなシステム・リンク・バジェットが必要な場合がある。
【００１９】
したがって、図１に示したように、ゲートウェイ１２５は、建物１２０の内表面に展開することができる。次に、ゲートウェイ１２５は、たとえば、アンテナ１３０を建物１２０の外表面に取り付けることによって、建物１２０の外部に展開されたアンテナ１３０に、物理的、電磁的に、または通信できるように結合することができる。たとえば、ゲートウェイ１２５は、建物１２０の外部から内部に通過するケーブルを使用して、アンテナ１３０に結合することができる。他の例では、ワイヤレス・リンクは、内部のゲートウェイ１２５と外部のアンテナ１３０との間で確立することができる。ゲートウェイ１２５の一部の実施形態は、代わりに、建物１２０に外部に展開することができる。たとえば、ゲートウェイ１２５およびアンテナ１３０は、建物１２０の外部に期待される環境条件に耐えるために強化することができる、単一のボックスに実装することができる。本明細書に記述するように、ワイヤレス通信システムの一部の実施形態は、車両など他の障害を含む場合があり、ゲートウェイ１２５およびアンテナ１３０は、これらの障害の中、上、または隣接して展開することができる。
【００２０】
ユーザ機器１１０（１）は、建物１２０の内部に位置し、したがって、基地局１０５からユーザ機器１１０（１）への信号経路は、建物１２０内の壁、ドア、または窓によって不明瞭になる場合がある。したがって、ユーザ機器１１０（１）は、基地局１０５を介してワイヤレス通信システム１００によって提供されることができるブロードキャストまたはマルチキャストのサービスを受信するために、ゲートウェイ１２５に要求を送信することができる。したがって、ゲートウェイ１２５は、基地局１０５によって送信された、要求されたブロードキャストまたはマルチキャストのサービスを受信するために、ブロードキャスト／マルチキャスト・セッション１１５を確立することができる。本明細書で使用する場合、「ブロードキャスト／マルチキャスト・セッション」という用語は、ブロードキャストまたはマルチキャストのサービスの送信を運ぶために使用できるセッションを表すものと理解するべきである。ブロードキャスト／マルチキャスト・セッションの例は、限定しないが、ＭＢＭＳセッションまたはｅＭＢＭＳセッションを含む。さらに、送信は、使用可能なプログラミングおよび個々のユーザによって行われる選択に依存する場合があるため、ブロードキャスト／マルチキャスト・セッションは、特定の時間にブロードキャストまたはマルチキャストのサービスを必ずしも運ぶとは限らない。
【００２１】
ゲートウェイ１２５がユーザ機器１１０（１）から要求を受信した場合、ゲートウェイ１２５は、ブロードキャストまたはマルチキャストのサービスを提供するｅＮＢ１０５とのブロードキャスト／マルチキャスト・セッション１１５を開始することができる。ブロードキャスト／マルチキャスト・セッション１１５は、アンテナ１３０とｅＮＢ１０５との間の信号経路が実質的に建物１２０の外部にあることを示すため外部セッション１１５と呼ぶことができる。本開示の恩恵を受ける当業者は、「実質的に外部」という語句は、セッション１１５の信号経路の大部分が、建物１２０または他の構造物の外部にある状態であることを意味することを意図することを理解されるであろう。しかし、たとえ、経路が建物１２０の「実質的に外部」にあっても、セッション１１５の経路の１つまたは複数の部分は、他の構造物または環境上の障害を通過する場合がある。これらの部分は、経路の全長に比べて小さいことが予想される。
【００２２】
ゲートウェイ１２５は、また、ユーザ機器１１０（１）との通信セッション１４０（１）を確立することができる。セッション１４０（１）は、ゲートウェイ１２５とユーザ機器１１０（１）との間の信号経路が、実質的に建物１２０内にあることを示すために内部セッションと呼ぶことができる。通信セッション１４０（１）の一部の実施形態は、Ｗｉ−Ｆｉを通じて伝送制御プロトコル（ＴＣＰ）を使用して、ユーザ機器１１０（１）に情報をユニキャストするように構成することができる。通信セッション１４０（１）の他の実施形態は、限定しないが、有線のイーサネット・アクセス、フェムトセル、ピコ・セル、基地局ルータ、または他のタイプの有線もしくは無線のアクセスを含む他のアクセス媒体を通じて運ぶことができる。通信セッション１４０（１）は、また、複数のユーザ機器１１０と確立することができ、コンテンツは、ゲートウェイ１２５からユーザ機器１１０にマルチキャストすることができる。本明細書に記述したように、内部セッション１４０（１）および外部セッション１１５を単一のマルチメディア・アプリケーション・セッションへとネゴシエーション、認証、時間同期、または「結びつける」ために、ユーザ機器１１０（１）およびゲートウェイ１２５のセッション・マネージャ（図１に図示せず）を使用することができる。
【００２３】
モバイル・ユーザ機器１１０（２）は、外部のセッションから内部セッションに既存のブロードキャストまたはマルチキャストのサービスを移行することができる。図示する実施形態では、ユーザ機器１１０（２）はセルに位置し、ｅＮＢ１０５によって提供されるブロードキャスト／マルチキャスト・サービスを利用契約している。ユーザ機器１１０（２）は、したがって、破線１３５によって示すように、ｅＮＢ１０５とのブロードキャスト／マルチキャスト・セッションを確立している。ユーザ機器１１０（２）は、セッション１３５を使用して、ブロードキャストまたはマルチキャストの送信をアクティブに受信している場合があるか、または代わりに、ユーザ機器１１０（２）は、将来のブロードキャストまたはマルチキャストの送信を利用契約し、次のスケジュールされた時間にブロードキャストまたはマルチキャストの送信を受信するためにブロードキャスト／マルチキャスト・セッション１３５を確立した。ユーザ機器１１０（２）のユーザは、セッション１３５を通じてブロードキャストまたはマルチキャストの送信を受信している間、またはスケジュールされたブロードキャストまたはマルチキャストの送信を受信する前にモバイルの場合がある。ユーザは、ｅＮＢ１０５からユーザ機器１１０（２）への信号経路に沿って妨害または干渉する建物、車両、または他の構造物へとユーザ機器１１０（２）を運ぶことができる。図１に描写したユーザ機器１１０（２）は、建物１２０の外部の場所から建物１２０の内部の場所に移動する。しかし、本開示の恩恵を受ける当業者は、本明細書に記述した技術の実施形態は、基地局１０５によって送信される信号を不明瞭にする可能性がある車両または他の構造物に移動するユーザ機器１１０にも同様に適用されることを理解されるであろう。
【００２４】
次に、ゲートウェイ１２５は、ユーザ機器１１０（２）がゲートウェイ１２５の近くに移動するか、または建物１２０に入るのに応じて、ｅＮＢ１０５とのブロードキャスト／マルチキャスト・セッションを確立するように構成することができる。ユーザ機器１１０（２）の一部の実施形態は、ゲートウェイ１２５によって送信されるパイロット信号などの信号に関連する信号強度を監視することができる。信号強度がしきい値を超えたとユーザ機器１１０（２）が決定した場合、ユーザ機器１１０（２）は、ゲートウェイ１２５に接続することができる。次に、ユーザ機器１１０（２）は、セッション１３５に関連する進行中のマルチキャスト・サービスまたはスケジュールされたマルチキャスト・サービスを持つことをゲートウェイ１２５に信号で送ることができる。一部の実施形態では、ゲートウェイ１２５によって送信され、ユーザ機器１１０（２）で受信されるパイロット信号の信号強度は、ゲートウェイ１２５とユーザ機器１１０（２）との間の距離の尺度である場合がある。一部の実施形態は、ゲートウェイ１２５およびユーザ機器１１０（２）の場所を決定するために、ＧＰＳ情報など位置情報を代わりに使用することができる。たとえば、距離がしきい値の距離より小さい場合など、次に、ゲートウェイ１２５とｅＮＢ１０５との間のブロードキャスト／マルチキャスト・セッションの確立をトリガするために使用できる、ゲートウェイ１２５とユーザ機器１１０（２）との間の距離を決定するために、位置情報を使用することができる。
【００２５】
ユーザ機器１１０（２）が建物１２０に近い、または内部にあるとゲートウェイが決定した場合、ゲートウェイ１２５は、セッション１３５に対応するｅＮＢ１０５とのブロードキャスト／マルチキャスト・セッション１１５を開始することができる。ゲートウェイ１２５は、また、ユーザ機器１１０（２）との通信セッション１４０（２）を確立することができる。本明細書に記述したように、内部セッション１４０（２）および外部セッション１１５を単一のマルチメディア・アプリケーション・セッションへとネゴシエーション、認証、時間同期、または「結びつける」ために、ユーザ機器１１０（２）およびゲートウェイ１２５のセッション・マネージャ（図１に図示せず）を使用することができる。
【００２６】
図２は、ワイヤレス通信システム２００の第２の代表的な実施形態を概念的に示している。ワイヤレス通信システム２００の一部の実施形態は、１つまたは複数のユーザ機器２１０にワイヤレス接続を提供するように構成できる基地局またはｅＮｏｄｅＢ（ｅＮＢ）２０５を含む。ｅＮＢ２０５の一部の実施形態は、１つまたは複数のｅＭＢＭＳユーザ・サービスに対して拡張されたＭＢＭＳ（ｅＭＢＭＳ）ベアラを送信することができる。図２に示すワイヤレス通信システム２００は、ブロードキャストまたはマルチキャストのユーザ・サービスおよび伝達を開始するために機能を提供するブロードキャスト・マルチキャスト・サービス・センター（ＢＭＳＣ：Ｂｒｏａｄｃａｓｔ  Ｍｕｌｔｉｃａｓｔ  Ｓｅｒｖｉｃｅ  Ｃｅｎｔｅｒ）２１５を含む。ＢＭＳＣ２１５の一部の実施形態は、ｅＭＢＭＳユーザのサービス提供および伝達のための機能を提供し、ＢＭＳＣ２１５は、コンテンツ・プロバイダｅＭＢＭＳ送信のための入口点の場合がある。ＢＭＳＣ２１５の一部の実施形態は、公衆陸上移動通信ネットワーク（ＰＬＭＮ）内でｅＭＢＭＳベアラ・サービスを許可および開始し、ｅＭＢＭＳ送信をスケジューリングおよび伝達するために使用することができる。
【００２７】
ワイヤレス通信システム２００の第２の代表的な実施形態は、また、ユーザ機器２１０にブロードキャストまたはマルチキャストのサービスを送信できる各基地局またはｅＮＢ２０５にパケットをブロードキャストまたはマルチキャストできるＭＢＭＳゲートウェイ２２０を含む。ゲートウェイ２２０の一部の実施形態は、サービスを送信している可能性がある各ｅＮＢ２０５にＭＢＭＳベアラ・データを送信またはブロードキャストすることを担当することができる。ＭＢＭＳ  ＧＷ２２０は、ｅＮＢ２０５にＭＢＭＳユーザ・データを転送する手段として、ＩＰマルチキャストを使用することができる。たとえば、ＭＢＭＳゲートウェイ２２０は、インターネット・プロトコル（ＩＰ）マルチキャストを使用して、マルチキャスト・ブロードキャストの単一周波数ネットワーク（ＭＢ−ＳＦＮ）領域（ｅＮＢ２１０を含む）において各ｅＮＢにマルチキャスト・パケットを送信することができる。ＭＢＭＳゲートウェイ２２０は、また、マルチキャスト・サービスのためにヘッダの圧縮または他の操作を実行することができる。ＭＢＭＳ  ＧＷ２２０は、また、１つまたは複数のモビリティ管理エンティティを介して、Ｅ−ＵＴＲＡＮに向けてＭＢＭＳセッション制御を実行する。
【００２８】
図２に描写したワイヤレス通信システム２００は、ＭＢＭＳセッション制御機能を提供するモビリティ管理エンティティ（ＭＭＥ）２２５を含み、Ｅ−ＵＴＲＡＮでブロードキャストのみの機能（ＢＭＳＣおよびＭＢＭＳ−ＧＷ）を接続する。ＭＭＥ２２５の一部の実施形態は、ＬＴＥアクセス・ネットワークに対する制御ノードの場合があり、ユーザ機器２１０のアイドル・モード追跡およびページングを担当する場合がある。ＭＭＥ２２５は、また、ベアラのアクティブ化／非アクティブ化プロセスに関係する場合があり、最初の接続時、およびコア・ネットワーク（ＣＮ）ノード再配置を含むＬＴＥ内ハンドオーバ時に、ユーザ機器２１０に対してサービスを提供するゲートウェイ（図２に図示せず）を選択することを担当する場合がある。ＭＭＥ２２５は、また、ユーザ機器２１０を認証することを担当する場合がある。
【００２９】
マルチセル協調エンティティ（ＭＣＥ：Ｍｕｌｔｉ−Ｃｅｌｌ  Ｃｏｏｒｄｉｎａｔｉｏｎ  Ｅｎｔｉｔｙ）２３０は、ＭＢ−ＳＦＮ領域においてすべてのセルに接続することができる。ＭＣＥ２３０の一部の実施形態は、承認制御機能を提供し、ＭＢＳＦＮ領域においてｅＮＢに対する無線リソース割り当てを調整することができる。ＭＣＥ２３０は、ＭＢＭＳセッション制御に関係する場合があり、ｅＮＢ２０５を含むＭＢ−ＳＦＮ領域内でｅＮＢによって使用される無線リソースを割り当てることができる。したがって、ＭＣＥ２３０は、所与のＭＢＳＦＮ領域のすべてのｅＮＢを横断して、所与のサービス対して同じリソース・ブロックが割り当てられることを保証することができる。ＭＣＥ２３０は、また、ｅＮＢ２０５を含むｅＮＢでＬ２／Ｌ３レイヤを構成するために情報を提供するだけでなく、マルチキャスト制御またはデータ・ブロードキャストに対してＭＢ−ＳＦＮサブフレームを構成することができる。
【００３０】
コンテンツ・プロバイダ２３５は、たとえば、ユーザ機器２１０にブロードキャスト、マルチキャスト、またはユニキャストすることによって、ユーザ機器２１０に送信されるコンテンツを提供するために使用することができる。ワイヤレス通信システム２００の一部の実施形態は、システム２００内にコンテンツ・プロバイダ２３５を実装し、ワイヤレス通信システム２００の他の実施形態は、ワイヤレス通信システム２００の外部に実装されるサード・パーティーのコンテンツ・プロバイダ２３５からコンテンツを受信することができる。
【００３１】
障害２４０は、図２に示す基地局２０５とユーザ機器２１０との間に介在する。結果的に、本明細書に記述するように、エア・インターフェース２４５を通じて送信される信号の信号強度は、低下または劣化する場合がある。たとえば、本明細書に記述するように、障害２４０を通じた伝播による透過損失は、障害２４０が建物の一部である場合は約１１〜２０ｄＢ、または障害２４０が自動車または他の車両の一部である場合は約７ｄＢの場合がある。
【００３２】
図３は、図２に示すワイヤレス通信システム２００の第２の代表的な実施形態で実装できるプロトコル・スタック３００の代表的な一実施形態を概念的に示す図である。プロトコル・スタック３００は、３ＧＰＰ準拠か、または準拠でないネットワークの場合がある、コンテンツ伝達ネットワーク３１０に通信できるように結合されたコンテンツ・サーバ３０５を表している。コンテンツ・サーバ３０５は、アプリケーション・レイヤを含み、アプリケーション・レイヤからの信号経路は、ネットワーク３１０に伝達される前に、ＴＶ／オーディオ・レイヤおよびリアルタイム・トランスポート・プロトコル（ＲＴＰ：Ｒｅａｌ−Ｔｉｍｅ  Ｔｒａｎｓｐｏｒｔ  Ｐｒｏｔｏｃｏｌ）／ＲＴＰ制御プロトコル（ＲＴＣＰ）レイヤ、ユーザ・データグラム・プロトコル（ＵＤＰ：Ｕｓｅｒ  Ｄａｔａｇｒａｍ  Ｐｒｏｔｏｃｏｌ）レイヤ、インターネット・プロトコル（ＩＰ：Ｉｎｔｅｒｎｅｔ  Ｐｒｏｔｏｃｏｌ）レイヤ、ＵＤＰまたは伝送制御プロトコル（ＴＣＰ：Ｔｒａｎｓｍｉｓｓｉｏｎ  Ｃｏｎｔｒｏｌ  Ｐｒｏｔｏｃｏｌ）レイヤ、ＩＰレイヤ、Ｌ２またはリンク・レイヤ、ならびにＬ１または物理レイヤを通じて移動することができる。コンテンツ・サーバ３０５の一部の実施形態は、また、ファイル、ディレクトリ、クリップ、または電子サービス・ガイド（ＥＳＧ：Ｅｌｅｃｔｒｏｎｉｃ  Ｓｅｒｖｉｃｅ  Ｇｕｉｄｅ）などのオブジェクトの大規模に拡張可能な信頼性が高い伝達をサポートする単向性移送でのファイル伝達（ＦＬＵＴＥ／ＡＬＣ：Ｆｉｌｅ  Ｄｅｌｉｖｅｒｙ  ｏｖｅｒ  Ｕｎｉｄｉｒｅｃｔｉｏｎａｌ  Ｔｒａｎｓｐｏｒｔ）レイヤおよびＥＳＧレイヤを含む。コンテンツ・サーバ３０５におけるレイヤの実装および操作のための技術は、当業者に知られており、明瞭さのために、請求する主題に関連するレイヤの実装または操作の態様のみについて、本明細書に記述している。
【００３３】
ＢＭＳＣ３１５は、コンテンツ伝達ネットワーク３１０に通信するように結合されており、したがって、コンテンツ・サーバ３０５から信号を受信することができる。ＢＭＳＣ３１５の一部の実施形態は、そのプロトコル・スタックのＬ１レイヤで信号を受信し、信号は、Ｌ２レイヤ、ＩＰレイヤ、ＵＤＰ、またはＴＣＰレイヤで処理され、次に、同期レイヤ（ＳＹＮＣ）、Ｌ４またはトランスポート・レイヤ、ＩＰレイヤ、Ｌ２レイヤ、およびＬ１レイヤに渡される。ＢＭＳＣ３１５におけるレイヤの実装および操作のための技術は、当業者に知られており、明瞭さのために、請求する主題に関連するレイヤの実装または操作の態様のみについて、本明細書に記述している。
【００３４】
ＢＭＳＣ３１５は、たとえば、３ＧＰＰ標準またはプロトコルによって規定されるようなＳＧｉ−ｍｂインターフェースを介して、マルチメディア・ブロードキャスト／マルチキャスト・サーバ・ゲートウェイ（ＭＢＭＳ  ＧＷ：Ｍｕｌｔｉｍｅｄｉａ  Ｂｒｏａｄｃａｓｔ／Ｍｕｌｔｉｃａｓｔ  Ｓｅｒｖｅｒ  Ｇａｔｅｗａｙ）３２０に通信するように結合される。ＭＢＭＳ  ＧＷ３２０を通じた信号経路は、Ｌ１レイヤから、Ｌ２レイヤ、ＩＰレイヤ、Ｌ４レイヤ、一般的なパケット無線ソース（ＧＰＲＳ）トンネリング・プロトコル（ＧＴＰ）またはＵＤＰレイヤ、ＩＰレイヤ、Ｌ２レイヤ、およびＬ１レイヤへと進む。ＭＢＭＳ  ＧＷ３２０は、ＩＰマルチキャストベースの分散ネットワークなど、ネットワーク３２５に通信するように結合される。ネットワーク３２５は、１つまたは複数の基地局３３０にマルチキャストまたはブロードキャストの情報を提供するために使用することができる。基地局３３０を通じた信号経路は、Ｌ１レイヤ、Ｌ２レイヤ、ＩＰレイヤ、ＧＴＰ／ＵＤＰレイヤ、ＳＹＮＣレイヤ、ＲＬＣ−ＵＭ（非肯定応答モード）レイヤ、メディア・アクセス制御（ＭＡＣ：Ｍｅｄｉａ  Ａｃｃｅｓｓ  Ｃｏｎｔｒｏｌ）レイヤ、およびＬ１レイヤへと進む。ＭＢＭＳ  ＧＷ３２０および基地局３３０におけるレイヤの実装および操作のための技術は、当業者に知られており、明瞭さのために、請求する主題に関連するレイヤの実装または操作の態様のみについて、本明細書に記述している。
【００３５】
次に、基地局３３０は、ユーザ機器３３５に、エア・インターフェースを通じて、マルチキャストまたはブロードキャストの情報を送信することができる。ユーザ機器３３５は、Ｌ１レイヤで信号を受信し、次に、ＭＡＣレイヤ、ＲＬＣ−ＵＭレイヤ、ＩＰレイヤ、ＵＤＰレイヤ、およびＲＴＰ／ＲＴＣＰレイヤ、ＴＶ／オーディオ・レイヤ、およびアプリケーション・レイヤでそれらを処理する。
【００３６】
図４は、ワイヤレス通信システム４００の第３の代表的な実施形態を概念的に示している。ワイヤレス通信システム４００の一部の実施形態は、１つまたは複数のユーザ機器４１０にワイヤレス接続を提供するように構成できる基地局またはｅＮｏｄｅＢ（ｅＮＢ）４０５を含む。図４に示すワイヤレス通信システム４００は、マルチキャスト・ユーザ・サービスおよび伝達を開始するために機能を提供するブロードキャスト・マルチキャスト・サービス・センター（ＢＭＳＣ）４１５と、ユーザ機器４１０にブロードキャストまたはマルチキャストのサービスを提供するために、各基地局またはｅＮＢ４０５にパケットをブロードキャストまたはマルチキャストすることができるＭＢＭＳゲートウェイ４２０と、移動性管理エンティティ（ＭＭＥ）４２５と、マルチセル協調エンティティ（ＭＣＥ）４３０と、ユーザ機器４１０に送信されるコンテンツを提供するために使用できるコンテンツ・プロバイダ４３５とを含む。これらのエンティティの一部の実施形態は、図２に示したワイヤレス通信システム２００の第２の代表的な実施形態に描写した対応するエンティティと同じ機能を組み込むか、または実装する。
【００３７】
障害４４０は、図４に示す基地局４０５とユーザ機器４１０との間に介在する。本明細書に記述したように、障害４４０は、ユーザ機器４１０に向けて移動するときに、基地局４０５によって提供される信号の信号強度を低下させる建物、車両、または他の物理的な障害の一部の場合がある。したがって、ワイヤレス通信システム４００は、アンテナ４５０に、物理的、電磁的、または通信できるように結合されたゲートウェイ４４５を実装する。図４に示したゲートウェイ４４５は、障害４４０のユーザ機器４１０と同じ側にあり、「内部」ゲートウェイ４４５と呼ぶことができる。アンテナ４５０は、障害の基地局４０５と同じ側に展開され、「外部」アンテナ４５０と呼ぶことができる。アンテナ４５０の一部の実施形態は、障害４４０の面に接続または固定されている。自動車について、アンテナ４５０は、自動車の後ろに取り付けられたボタン・アンテナでもよく、家または建物について、アンテナ４５０は、基地局４０５が適切な無線有効範囲を提供する窓またはその近くに配置された小さなアンテナの場合がある。
【００３８】
外部アンテナ４５０は、基地局４０５によって送信される無線周波数信号を収集することができる。次に、信号は、内部ゲートウェイ４４５へのケーブルを介して渡すことができ、内部ゲートウェイ４４５は、次に、基地局４０５およびアンテナ４５０からユーザ機器４１０に提供されるブロードキャストまたはマルチキャストのサービスを送信することができる。ゲートウェイ４４５の一部の実施形態は、ユーザ機器４１０にブロードキャストまたはマルチキャストのサービスのＷｉ−Ｆｉまたは他のワイヤレス・ユニキャストを提供することができる。ゲートウェイ４４５の他の一部の実施形態は、Ｗｉ−Ｆｉ（たとえば、モール領域または他の大規模な屋内の公共の集合領域で）、または他のワイヤレス・リンクを通じてユーザ機器４１０にサービスをブロードキャストまたはマルチキャストすることができる。一部の実施形態では、送信された信号は、無線周波数（ＲＦ）信号の場合があり、その場合、信号がゲートウェイ４４５のベースバンド・ユニットに届く前に損失がある場合がある。あるいは、信号は、ゲートウェイ４４５においてベースバンド・ユニットにサンプルごとに有限の精度でデジタルで送信できるサンプリングされた中間周波数（ＩＦ）信号の場合がある。ゲートウェイ４４５の一部の実施形態は、ゲートウェイ４４５と、ＢＭＳＣ４１５などのネットワーク・エンティティとの間の接続をネゴシエーションおよび認証するために使用できる認証情報を含む。ユーザ機器４１０は、ＢＭＳＣ４１５とそれ自体を認証する必要がない場合がある。しかし、ユーザ機器４１０の一部の実施形態は、マルチキャスト・サービスに対する信頼された接続を確立するために、ゲートウェイ４４５と相互に認証することができる。
【００３９】
図５は、図４に示すワイヤレス通信システム４００の第３の代表的な実施形態で実装することができるプロトコル・スタック５００の代表的な一実施形態を概念的に示している。図５に示すプロトコル・スタック５００は、ｅＮＢスタック５０５を含む。ｅＮＢスタック５０５の一部の実施形態は、図３に示すように、ＭＢＭＳ  ＧＷ、ＢＭＳＣ、および１つまたは複数のコンテンツ・サーバに接続することができる。明瞭さのために、これらの要素は、図５に示していない。ｅＮＢスタック５０５を通じた信号経路は、Ｌ１レイヤ、Ｌ２レイヤ、ＩＰレイヤ、ＧＴＰ／ＵＤＰレイヤ、ＳＹＮＣレイヤ、ＲＬＣ−ＵＭ（非肯定応答モード）レイヤ、メディア・アクセス制御（ＭＡＣ）レイヤ、およびＬ１レイヤへと進む。
【００４０】
プロトコル・スタック５００は、また、ゲートウェイ５１０を含む。ゲートウェイ・プロトコル・スタック５１０の実施形態は、図１および図４に示すように、ゲートウェイ１２５および４４５の一部として実装することができる。ゲートウェイ５１０は、アプリケーション・レイヤへと受信された信号を復号することができる。たとえば、ゲートウェイ５１０は、Ｌ１レイヤで信号を受信し、次に、それらをＭＡＣレイヤ、ＲＬＣ−ＵＭレイヤ、ＩＰ（マルチキャスト）レイヤ、ＵＤＰレイヤおよびＲＴＰ／ＲＴＣＰレイヤ、ＴＶ／オーディオ・レイヤ、およびアプリケーション・レイヤで処理することができる。次に、ゲートウェイ５１０は、ユーザ機器５１５に提供するためにアプリケーション・レイヤへと信号を復号することができる。たとえば、ゲートウェイ５１０は、アプリケーション・レイヤから、ＴＶ／オーディオ・レイヤ、ＲＴＰ／ＲＴＣＰレイヤ、ＴＣＰレイヤ（信号がユーザ機器５１５にユニキャストされる場合）またはＵＤＰレイヤ（信号がユーザ機器５１５にマルチキャストされる場合）、ＩＰマルチキャストまたはユニキャスト・レイヤ、ＭＡＣレイヤ、およびＬ１レイヤへと信号を処理することができる。ユーザ機器５１５は、Ｌ１レイヤで信号を受信し、次に、それらをＭＡＣレイヤ、ＲＬＣ−ＵＭレイヤ、ＩＰレイヤ、ＴＣＰレイヤ、およびアプリケーション・レイヤで処理する。一実施形態では、セッション・マネージャ５２０は、有線またはＷｉ−Ｆｉなどの無線の接続を通じて、情報をローカルに転送することができる。ゲートウェイ５１０は、ローカルのセッションが、また、ブロードキャストもしくは、マルチキャスト（ただし異なるＩＰマルチキャスト宛先アドレスを用いる）か、ユニキャスト（ユニキャストＩＰアドレスを用いる）かに依存して、パケットのＩＰヘッダをローカルの屋内ＩＰマルチキャストに対する対応するＩＰヘッダまたはユニキャストＩＰヘッダに置き換えることができる。他の実施形態では、ゲートウェイ５１０からユーザ機器５１５にオリジナルのｅＭＢＭＳ  ＩＰマルチキャストをトンネリングするために、ＩＰトンネリング・オーバレイを使用することができる。
【００４１】
ゲートウェイ５１０およびユーザ機器５１５は、セッション・マネージャ５２０、５２５をそれぞれ含む。セッション・マネージャ５２０および５２５は、ｅＮＢ５１０とユーザ機器５１５との間のセッションの確立および廃棄を制御および調整するために、相互に通信する。たとえば、ゲートウェイ５１０によって送信されるＷｉ−Ｆｉなどワイヤレス信号の存在を検出するためにＲＦリンクを監視することによって、たとえば、ユーザ機器５１５がゲートウェイ５１０が近くにあることを決定すると、ユーザ機器５１０は、自身をゲートウェイ５１０に接続することができる。セッション・マネージャ５２０は、ユーザ機器５１５によって受信されるか、またはユーザ機器５１５に後に送信することをスケジューリングできるマルチキャスト・サービスを認識している。ゲートウェイ５１０の一部の実施形態は、マクロセルラーｅＭＢＭＳサービスにすでに接続されている場合があるため、セッション・マネージャ５２０は、セッション・マネージャ５２５を介して、ユーザ機器５１５にプログラム・ガイドなどのプログラム情報を提供することができる場合がある。セッション・マネージャ５２５は、ユーザ機器５１５によって現在受信されているか、またはユーザ機器５１５による受信がスケジューリングされているプログラムまたはサービスのレコードを維持し、したがって、ユーザ機器５１５がゲートウェイ５１０によってサービスを提供される場所に移行するのに応じて、セッション・マネージャ５２０にプログラムまたはサービスを識別する要求を提供することができる。
【００４２】
ゲートウェイ５１０においてセッション・マネージャ５２０は、ユーザ機器５１５のセッション・マネージャ５２５から要求を受信することができ、ゲートウェイ５１０は、ユーザ機器５１５に対するプログラムまたはサービスを受信するためにコンテンツ・プロバイダとｅＭＢＭＳセッションを確立するために、提供された情報を使用することができる。ゲートウェイ５１０は、また、ユーザ機器５１５にｅＭＢＭＳセッションで受信された情報を提供するためにセッションを確立することができる。動作において、ゲートウェイ５１０は、アプリケーション・レイヤへとｅＭＢＭＳ信号を復号し、たとえば、プロトコル・スタック５１０のＷｉＦｉ側を使用して、次に信号を再パッケージする。スタック５１０のＴＣＰレイヤは、Ｗｉｆｉを通じたユニキャストについて、示されている。しかし、ゲートウェイ５１０の他の実施形態は、異なるプロトコル・スタックを使用することができる。たとえば、混み合った屋内モールのシナリオについて、ゲートウェイ５１０は、ＷｉＦｉインターフェースを通じて情報をブロードキャストまたはマルチキャストするために、ＲＴＰレイヤを使用することができる。セッション・マネージャ５２５の一部の実施形態は、また、ゲートウェイ５１０とのブロードキャスト／マルチキャスト・セッションを終了するために要求を提供することができる。プログラムまたはサービスの終了に応じて、またはユーザ機器５１５がしきい値を上回る信号強度を持つゲートウェイ５１０によって包含される領域を離れるのに応じて、要求を提供することができる。したがって、ゲートウェイ５１０とユーザ機器５１５との間、およびゲートウェイ５１０とネットワークとの間のセッションは、終了要求の受信に応じて廃棄することができる。
【００４３】
ユーザ機器５１５は、また、新しいプログラミングを追加するか、またはブロードキャスト／マルチキャスト・セッション内でチャネルを変更することができる。たとえば、ユーザ機器５１５がチャネルの変更を希望する場合、セッション・マネージャ５２５は、たとえば、新しいプログラミングまたはチャネルの変更を示す要求を提供することによって、ゲートウェイ５１０におけるその対応するセッション・マネージャ５２０に変更を起動させる。ゲートウェイ５１０は、そのｅＭＢＭＳセッションを通じてコンテンツ・サーバからそれが要求するプログラミングまたはサービスを修正するために、この要求を使用することができるため、ゲートウェイ５１０は、新しいプログラミングまたはサービスを受信し、ユーザ機器５１５にこの情報を提供することができる。
【００４４】
セッション・マネージャ５２０は、ゲートウェイ５１０に実装されるが、当業者は、セッション・マネージャ５２０の一部の実施形態は、異なる場所で実装できることを理解されるであろう。たとえば、セッション・マネージャ５２０は、図３に示すコンテンツ・サーバ３０５など、コンテンツ・サーバに実装することができる。これらの実施形態では、ユーザ機器５１５またはセッション・マネージャ５２５は、ブロードキャスト／マルチキャスト・セッションを制御または調整するために、進化型パケット・コア（ｅＰＣ：ｅｖｏｌｖｅｄ  Ｐａｃｋｅｔ  Ｃｏｒｅ）または他のネットワーク・エンティティとの通信を確立することができる。ゲートウェイ５１０は、また、ｅＭＢＭＳプログラムまたはサービスを提供するために、ｅＮＢ５１５へのアップリンク（図５に図示せず）を確立することができる。
【００４５】
図６は、妨害されたユーザ機器にブロードキャストまたはマルチキャストのサービスを提供するための方法６００の代表的な一実施形態を概念的に示している。方法６００の実施形態は、図５に示す基地局５１０またはユーザ機器５１５に実装することができる。図示する実施形態では、ユーザ機器（ＵＥ）は、ＭＢＭＳサービスを利用契約する（６０５）。この時点で、ユーザ機器は妨害されず、したがって、ネットワーク、たとえば、ネットワークのＢＭＳＣまたはマルチキャストのコンテンツ・プロバイダに利用契約に対する要求を直接的に提供する。ネットワークは、ユーザ機器に向けてＭＢＭＳサービスをブロードキャストまたはマルチキャストするためにユーザ機器に無線リソースを割り当てる（６１０）。たとえば、無線リソースを割り当てるステップ（６１０）は、ＭＢＭＳサービスに対するＭＢＭＳベアラを識別するＩＰマルチキャスト・アドレスを提供するステップ、ＭＢＭＳベアラに割り当てられた一時的なモバイル・グループ識別情報（ＴＭＧＩ：Ｔｅｍｐｏｒａｒｙ  Ｍｏｂｉｌｅ  Ｇｒｏｕｐ  Ｉｄｅｎｔｉｔｙ）についてユーザ機器に通知するステップ、またはＭＢＭＳサービスに対するユーザ機器コンテキストを識別するネットワーク・レイヤ・サービス・アクセス・ポイント識別子を提供するステップを含むことができる。方法６００の一部の実施形態は、また、ＭＢＭＳサービスによるデータ転送の開始時間を示す情報を提供することができる（６１０）。
【００４６】
ユーザ機器は、ＭＢＭＳベアラに割り当てられたＴＭＧＩなど、要求されたプログラムまたはサービスのアドレスを復号することができる（６１５）。図５に示すセッション・マネージャ５２５など、ユーザ機器に実装されたセッション・マネージャは、要求されたプログラムを識別し、要求されたプログラムを識別する情報を格納することができる（６２０）。ユーザ機器は、また、ＭＢＭＳベアラを通じて受信された情報を使用して、要求されたプログラムの実行を開始することができる（６２５）。ユーザ機器は、また要求されたプログラムを受信および実行（６２５）することと同時に、ネットワークへの通信リンクの無線条件を監視することができる。無線通信リンクを通じて送信された信号の信号強度が、十分に高く維持される限り（６３０）、ユーザ機器は、ＭＢＭＳベアラを通じて受信された、要求されたプログラムを受信および実行し続けることができる（６２５）。しかし、無線通信リンク品質が低下した場合（６３０）、ユーザ機器は、ゲートウェイからの信号強度がＭＢＭＳサービスをサポートできるかどうかを決定することができる（６３５）。たとえば、ユーザ機器は、ネットワークおよびゲートウェイから受信された信号の信号強度を対応するしきい値に比較することができる（６３０、６３５）。ゲートウェイからの信号強度がＭＢＭＳサービスをサポートするのに不十分であるとユーザ機器が決定した場合（６３５）、サービスを破棄することができる（６４０）。
【００４７】
ゲートウェイからの信号強度がＭＢＭＳサービスをサポートできるという決定（６３５）に応じて、ユーザ機器は、Ｗｉ−Ｆｉ接続などゲートウェイへの接続を確立することができる（６４５）。ユーザ機器のセッション・マネージャは、以前に確立されたＭＢＭＳセッションに関連する現在または保留中のプログラムについて、ゲートウェイに要求を送信することができる（６５０）。ゲートウェイは、また、ユーザ機器に関連するＭＢＭＳサービスを利用契約することができる（６５５）。ゲートウェイの一部の実施形態は、ゲートウェイのセッション・マネージャがユーザ機器のセッション・マネージャから要求を受信することに応じて、サービスを利用契約することができる（６５５）。ゲートウェイの他の実施形態は、セッション・マネージャ間で以前に交換された情報、およびユーザ機器がゲートウェイによってサービスを提供される領域に移動したという指示を使用して、サービスを利用契約することができる（６５５）。次に、ネットワークは、ＭＢＭＳサービスのためにゲートウェイに無線リソースを割り当てることができる（６６０）。したがって、Ｗｉ−Ｆｉ接続の確立（６４５）、プログラムの要求（６５０）、ＭＢＭＳサービスへの利用契約（６５５）、またはネットワーク・リソースの割り当て（６６０）は、任意の順に、または同時に発生する場合がある。
【００４８】
次に、ゲートウェイは、ＭＢＭＳサービスを受信するためにユーザ機器のセッション・マネージャからの要求を待つことができる（６６５）。ゲートウェイは、ゲートウェイからＭＢＭＳサービスを受信するためのユーザ機器からの要求を検出すると（６６５）、ゲートウェイは、ＭＢＭＳサービスを復号し（６７０）、ユーザ機器に向けてそれらを送信することを開始することができる。
【００４９】
図７は、妨害されたユーザ機器にブロードキャストまたはマルチキャストのサービスを提供するための方法７００の代表的な一実施形態を概念的に示している。方法７００の実施形態は、図５に示す基地局５１０またはユーザ機器５１５に実装することができる。図示する実施形態では、ユーザ機器は、最初に、ゲートウェイによってサービスを提供される妨害された場所にあり、したがって、ユーザ機器は、ゲートウェイへのＷｉ−Ｆｉ接続などゲートウェイへの接続を持つ。次に、ゲートウェイは、ユーザ機器に関連する場合がある１つまたは複数のＭＢＭＳサービスを利用契約することができる（７０５）。次に、ネットワークは、ＭＢＭＳサービスを送信するために使用できる通信セッションに対する無線リソースを割り当てることができる（７１０）。次に、ゲートウェイは、ＭＢＭＳサービスの１つまたは複数に対するユーザ機器からの要求を待つことができる（７１５）。
【００５０】
ゲートウェイは、また、ＭＢＭＳサービスを使用して提供できるプログラムを識別する情報を含むプログラム・リストを復号し（７２０）、ユーザ機器に送信することができる。プログラム・リストを復号および送信するステップ（７２０）は、ネットワークがゲートウェイに無線リソースを割り当てる（７１０）のと同時に実行することができる。次に、ユーザ機器はプログラム・リストから１つまたは複数のプログラムを選択することができ（７２５）、ユーザ機器に実装されたセッション・マネージャは、たとえば、ゲートウェイに関連する対応するセッション・マネージャに要求を送信することによって（７３０）、ゲートウェイからの選択されたプログラムを要求することができる（７３０）。ユーザ機器またはゲートウェイのセッション・マネージャは、また、要求されたプログラムを識別する情報を識別（７３５）または格納することができる。
【００５１】
ユーザ機器のセッション・マネージャからの要求を受信すること（７１５）に応じて、ゲートウェイは、コンテンツ・サーバから受信したプログラムを復号し（７４０）、たとえば、ユーザ機器へのＷｉ−Ｆｉ接続を通じて、要求されたプログラムを送信することを開始することができる。したがって、ユーザ機器は、たとえば、ゲートウェイとのＷｉ−Ｆｉ接続を通じて、要求されたプログラムを受信することができる（７４５）。ゲートウェイとのＷｉ−Ｆｉ接続の信号強度が十分に高い状態に維持される限り（７５０）、ユーザ機器は、ゲートウェイから、要求されたプログラムを受信し続ける（７４５）。しかし、Ｗｉ−Ｆｉ接続の信号強度が低下したとユーザ機器が決定した場合（７５０）、たとえば、信号強度がしきい値を下回って落ちた場合、ユーザ機器は、ＬＴＥにより動作するシステムによって提供される信号強度など、ネットワークによって提供される信号強度が、要求されたＭＢＭＳサービスをサポートするのに十分に高いかどうかを決定することができる（７５５）。十分に高くない場合、ＭＢＭＳセッションを破棄することができる（７６０）。
【００５２】
ネットワーク接続の信号強度が十分に高い場合、たとえば、信号強度がしきい値を超える場合、セッション・マネージャは、ネットワークとの確立されたセッションを使用して、ＭＢＭＳサービスの受信をユーザ機器に開始させる要求を提供することができる（７６５）。たとえば、セッション・マネージャは、セッションを確立し、ネットワークからＭＢＭＳサービスを受信するために、無線を構成するために使用できるユーザ機器で無線にシグナリングを提供することができる。次に、ユーザ機器は、ネットワークとの通信セッションを使用して受信された情報を復号し（７７０）、ユーザ機器のユーザに復号されたＭＢＭＳプログラムを提供することを開始することができる。
【００５３】
開示した内容および対応する詳細な記述の部分は、ソフトウェア、またはアルゴリズム、およびコンピュータ・メモリ内のデータ・ビットの動作を記号で表現したものに関して示したものである。これらの記述および表現は、当業者が他の当業者に仕事の本質を効果的に伝達するものである。本明細書で使用し、一般的に使用されるアルゴリズムという用語は、所望の結果につながる首尾一貫した連続したステップであると考えられる。ステップは、物理量の物理的な操作を必要とするものである。通常、必須ではないが、これらの量は、格納、転送、組み合わせ、比較、または操作可能な光学的、電気的、または磁気的な信号の形をとる。これらの信号はときには、主に一般的に使用する理由から、ビット、値、要素、記号、文字、用語、数値などと呼ぶことが便利であると分かっている。
【００５４】
しかし、これらおよび同様の用語はすべて、適切な物理量に関連しており、これらの量に適用される便利なラベルにすぎないことを覚えておくべきである。特に別記しない限り、または記述から明白でない限り、「処理」または「コンピューティング」または「計算」または「決定」または「表示」などの用語は、コンピュータ・システムのレジスタおよびメモリ内の物理的な電子量として表されたデータを操作し、コンピュータ・システムのメモリもしくはレジスタ、または他のそのような情報記憶装置、伝送デバイスもしくは表示デバイス内の物理量として同様に表される他のデータへと変形するコンピュータ・システム、または同様の電子計算デバイスの動作およびプロセスを指すものである。
【００５５】
また、開示された内容のソフトウェアに実装された態様は、典型的に、プログラム記憶媒体の一形式で符号化されるか、または何らかの伝送媒体を通じて実装されることに注意すること。プログラム記憶媒体は、非一時的な記憶媒体、磁気的（たとえば、フロッピー・ディスクまたはハードドライブ）、または光学的（たとえば、コンパクト・ディスクを使った読み出し専用メモリ、または「ＣＤ  ＲＯＭ」）でもよく、読み出し専用またはランダム・アクセスでもよい。同様に、伝送媒体は、ツイストペア線、同軸ケーブル、光ファイバ、または当技術分野で既知の他の何らかの適切な伝送媒体でもよい。開示された内容は、特定の実装のこれらの態様によって限定されるものではない。
【００５６】
上に開示した特定の実施形態は例を示しているにすぎず、開示した内容は、本明細書の教示の利益を受ける当業者に明白な、異なるが同等の方法で変更および実施することができる。さらに、以下の特許請求の範囲に記述した以外、本明細書に示した構造または設計の詳細に限定することを意図するものではない。したがって、上に開示した特定の実施形態は変更または修正することができ、そのような変形形態はすべて、開示された内容の範囲内にあると考えられることは明白である。したがって、本明細書に求められる保護は、特許請求の範囲に記述する通りである。様々な実施形態のそれらおよび他の態様は、以下に示す番号を付した条項に規定されている：
［１］．アンテナに通信するように結合するために構成されたゲートウェイであって、ゲートウェイは、ユーザ機器に関連する少なくとも１つのブロードキャストまたはマルチキャストのサービスを受信するために第１のブロードキャスト／マルチキャスト・セッションを確立し、ユーザ機器に第１のブロードキャスト／マルチキャスト・セッションで受信された情報を提供するための第２のセッションを確立するように構成されたゲートウェイ
を含む装置。
［２］．ゲートウェイは、前述のユーザ機器からの要求の受信に応じて、第１のブロードキャスト／マルチキャスト・セッションおよび第２のセッションの両方を確立するように構成された上記［１］に記載の装置。
［３］．ゲートウェイは、前述のユーザ機器が外部の場所から内部の場所に移動したという指示の受信に応じて、第１のブロードキャスト／マルチキャスト・セッションおよび第２のセッションの両方を確立するように構成された上記［１］に記載の装置。
［４］．ゲートウェイは、ユーザ機器がゲートウェイの事前に決定された距離内にあると決定することに応じて、第１のブロードキャスト／マルチキャスト・セッションおよび第２のセッションを確立するように構成された上記［１］に記載の装置。
［５］．建物または車両の外表面に結合するために構成されたアンテナを含み、ゲートウェイは、建物または車両の内表面に結合するために構成される上記［１］に記載の装置。
［６］．ゲートウェイは、ユーザ機器が建物または車両内にあると決定することに応じて、第１のブロードキャスト／マルチキャスト・セッションおよび第２のセッションを確立するように構成された上記［５］に記載の装置。
［７］．ゲートウェイに対する第１のセッション・マネージャであって、ユーザ機器に実装された第２のセッション・マネージャと通信するように構成された第１のセッション・マネージャを含み、ゲートウェイは、第２のセッション・マネージャからの要求の受信に応じて、第１のセッション・マネージャによって提供されるシグナリングに応じて、第１のブロードキャスト／マルチキャスト・セッションを確立するように構成された上記［１］に記載の装置。
［８］．第１のセッション・マネージャは、ゲートウェイが、ユーザ機器がゲートウェイ、およびユーザ機器に関連する前述の少なくとも１つブロードキャストまたはマルチキャストのサービスを識別する第１のセッション・マネージャに接続されたことを決定することに応じて、第１のブロードキャスト／マルチキャスト・セッションを確立するためにシグナリングを提供するように構成された上記［７］に記載の装置。
［９］．第１のブロードキャスト／マルチキャスト・セッションを確立するステップは、ブロードキャスト・マルチキャスト・サービス・センター（ＢＭ−ＳＣ：Broadcast Multicast Service Center）へのゲートウェイを認証するステップを含み、第２のセッションを確立するステップは、ゲートウェイに対してユーザ機器を認証するステップを含む上記［１］に記載の装置。
［１０］．ゲートウェイは、ユーザ機器からの新しいマルチキャスト・サービスに対する要求の受信に応じて、第１のブロードキャスト／マルチキャスト・セッションを使用して提供される新しいマルチキャスト・サービスに対する要求を提供するように構成され、ゲートウェイは、第２のセッションを使用して、ユーザ機器に新しいマルチキャスト・サービスを提供するように構成された上記［１］に記載の装置。
［１１］．ゲートウェイは、ユーザ機器からの要求の受信に応じて、第１のブロードキャスト／マルチキャスト・セッションおよび第２のセッションを廃棄するように構成された上記［１］に記載の装置。
［１２］．ゲートウェイで、ユーザ機器に関連する少なくとも１つのブロードキャストまたはマルチキャストのサービスを受信するために第１のブロードキャスト／マルチキャスト・セッションを確立するステップと、
ゲートウェイで、ユーザ機器に第１のブロードキャスト／マルチキャスト・セッションで受信された情報を提供するための第２のセッションを確立するステップと
を含む方法。
［１３］．前述の少なくとも１つブロードキャストまたはマルチキャストのサービスを受信するために、前述のユーザ機器から要求を受信するステップであって、第１のブロードキャスト／マルチキャスト・セッションを確立する前述のステップと、第２のセッションを確立する前述のステップは、前述の要求の受信に応じて実行されるステップとを含む上記［１２］に記載の方法。
［１４］．第１のブロードキャスト／マルチキャスト・セッションを確立する前述のステップと第２のセッションを確立する前述のステップは、前述のユーザ機器が外部の場所から内部の場所に移動したという決定と、外部の場所で前述の少なくとも１つブロードキャストまたはマルチキャストのサービスを受信するために、前述のユーザ機器が、以前に第３のブロードキャスト／マルチキャスト・セッションを確立したという指示の受信とに応じて実行される上記［１２］に記載の方法。
［１５］．ゲートウェイで、ユーザ機器とゲートウェイとの間の距離を決定するステップであって、第１のブロードキャスト／マルチキャスト・セッションを確立する前述のステップと、第２のセッションを確立する前述のステップとは、距離がしきい値の距離未満であるという決定に応じて実行されるステップを含む上記［１２］に記載の方法。
［１６］．ゲートウェイは、建物または車両の内表面に結合するために構成され、第１のセッションを確立する前述のステップと、第２のセッションを確立する前述のステップとは、ユーザ機器が建物または車両内にあるという決定に応じて、第１および第３のセッションをそれぞれ確立するステップを含む上記［１２］に記載の方法。
［１７］．ユーザ機器で実装される第２のセッション・マネージャからの要求に応じて、ゲートウェイに対して第１のセッション・マネージャによって提供されるシグナリングに応じて、第１のブロードキャスト／マルチキャスト・セッションを確立するステップ
を含む上記［１２］に記載の方法。
［１８］．第１のセッション・マネージャが、ユーザ機器がゲートウェイに接続されたと決定し、第２のブロードキャスト／マルチキャスト・セッションを使用して、ユーザ機器に提供される少なくとも１つのマルチキャスト／ブロードキャスト・サービスを識別することに応じて、第１のブロードキャスト／マルチキャスト・セッションを確立するためにシグナリングを提供するステップを含む上記［１７］に記載の方法。
［１９］．第１のブロードキャスト／マルチキャスト・セッションを確立するステップは、ブロードキャスト・マルチキャスト・サービス・センター（ＢＭ−ＳＣ）へのゲートウェイを認証するステップを含み、第２のセッションを確立するステップは、ゲートウェイに対してユーザ機器を認証するステップを含む上記［１２］に記載の方法。
［２０］．ユーザ機器からの新しいマルチキャスト・サービスに対する要求の受信に応じて、第１のブロードキャスト／マルチキャスト・セッションを使用して提供される新しいマルチキャスト・サービスに対する要求を提供するステップと、第３のセッションを使用して、ユーザ機器に新しいマルチキャスト・サービスを提供するステップとを含む上記［１２］に記載の方法。
［２１］．ユーザ機器からの要求に応じて、第１のブロードキャスト／マルチキャスト・セッションおよび第２のセッションを廃棄するステップを含む上記［１２］に記載の方法。
［２２］．第１のブロードキャスト／マルチキャスト・セッションを介して、前述の少なくとも１つブロードキャストまたはマルチキャストのサービスを受信するためにゲートウェイからブロードキャストまたはマルチキャストのサービスの少なくとも１つを受信するための要求を提供し、
前述の少なくとも１つブロードキャストまたはマルチキャストのサービスを受信するためにゲートウェイと第２のセッションを確立する
ように構成可能なユーザ機器。
［２３］．ユーザ機器は、ユーザ機器の少なくとも１つがゲートウェイのしきい値の距離内にあること、ユーザ機器がゲートウェイに関連する建物または車両内にあること、ゲートウェイからの信号の信号強度が第１のしきい値を上回ること、または基地局からの信号の信号強度が第２のしきい値を下回ることに応じて、要求を提供するように構成可能である上記［２２］に記載のユーザ装置。
［２４］．ゲートウェイに関連する第２のセッション・マネージャと通信するように構成された第１のセッション・マネージャを含み、ユーザ機器がゲートウェイに接続し、第１のセッション・マネージャが、前述のユーザ機器に関連する前述の少なくとも１つブロードキャストまたはマルチキャストのサービスを識別するのに応じて、第１のセッション・マネージャは、第２のセッションの確立を開始するためにシグナリングを提供するように構成された上記［２２］に記載のユーザ機器。
［２５］．第２のセッションを確立するステップは、ゲートウェイに対してユーザ機器を認証するステップを含む上記［２２］に記載のユーザ装置。
［２６］．第２のセッションを廃棄する要求を提供し、次に、第２のセッションを廃棄するステップを含む上記［２２］に記載のユーザ機器。
［２７］．ユーザ機器から、第１のブロードキャスト／マルチキャスト・セッションを介して前述の少なくとも１つブロードキャストまたはマルチキャストのサービスを受信するために、ゲートウェイからブロードキャストまたはマルチキャストのサービスの少なくとも１つを受信するための要求を提供するステップと、
前述の少なくとも１つブロードキャストまたはマルチキャストのサービスを受信するためにゲートウェイとの第２のセッションを確立するステップと
を含む方法。
［２８］．ユーザ機器の少なくとも１つが、ゲートウェイのしきい値の距離内にあること、ユーザ機器が、ゲートウェイに関連する建物または車両内にあること、ユーザ機器が、第１のしきい値を超えたゲートウェイからの信号の信号強度を検出すること、またはユーザ機器が、第２のしきい値を下回る基地局からの信号の信号強度を検出することに応じて要求を提供するステップを含む上記［２７］に記載の方法。
［２９］．ユーザ機器がゲートウェイに接続すること、および第１のセッション・マネージャが、前述のユーザ機器に関連する前述の少なくとも１つブロードキャストまたはマルチキャストのサービスを識別することに応じて、第２のセッションの確立を開始するために、第１のセッション・マネージャからシグナリングを提供するステップを含む上記［２７］に記載の方法。
［３０］．第２のセッションを確立するステップは、ゲートウェイに対してユーザ機器を認証するステップを含む上記［２７］に記載の方法。
［３１］．第２のセッションを廃棄する要求を提供し、次に、第２のセッションを廃棄するステップを含む上記［２７］に記載の方法。
【図３】
2015527793.tif 000004
【図４】
2015527793.tif 000005
【図５】
2015527793.tif 000006
【図６】
2015527793.tif 000007
【図７】
2015527793.tif 000008
【図１】
2015527793.tif 000009
【図２】
2015527793.tif 000010
【国際調査報告】
2015527793.tif 000011
2015527793.tif 000012
2015527793.tif 000013
2015527793.tif 000014
2015527793.tif 000015